(57)【要約】【課題】本体の手ブレが許容範囲内であるか否かを容易に認識することができる光学装置を提供する。【解決手段】本発明は、本体の手ブレを検出する角加速度センサと、角加速度センサにより検出された手ブレの大きさを表す手ブレマーク７１と、手ブレの大きさの許容範囲を示すガイド枠７２とを表示する表示モニタ３０１とを備える。【選択図】図３
2010026057.tif 000002
【特許請求の範囲】
【請求項１】
本体の手ブレを検出する手ブレ検出手段と、
前記手ブレ検出手段により検出された手ブレの大きさを表すマークと、前記手ブレの大きさの許容範囲を示す目印とを表示する手ブレ表示手段とを備えることを特徴とする光学装置。
【請求項２】
請求項１に記載の光学装置において、
前記手ブレ表示手段は、前記マークの表示位置を前記手ブレ検出手段により検出された手ブレの大きさに応じて変位させ、
前記目印は、前記手ブレの大きさが許容できる場合の前記マークの表示範囲を表すことを特徴とする光学装置。
【請求項３】
請求項２に記載の光学装置において、
前記手ブレ検出手段は、少なくとも２次元方向の手ブレを検出し、
前記手ブレ表示手段は、前記手ブレ検出手段により検出された手ブレに応じて表示位置を２次元方向に変位させることを特徴とする光学装置。
【請求項４】
請求項３に記載の光学装置において、
前記手ブレ表示手段は、手ブレの許容範囲を示す枠を前記目印として表示することを特徴とする光学装置。
【請求項５】
請求項４に記載の光学装置において、
前記手ブレ検出手段は、前記本体の少なくとも２軸の角加速を検出し、
前記手ブレ表示手段は、前記手ブレ検出手段により検出された角加速度を手ブレの大きさとして表示することを特徴とする光学装置。
【請求項６】
請求項４または５に記載の光学装置において、
前記手ブレ表示手段は、所定時間内に前記マークが前記枠内に表示される割合に応じて手ブレに対する注意を喚起する表示を行うことを特徴とする光学装置。
【請求項７】
請求項６に記載の光学装置において、
前記手ブレ表示手段は、前記枠の表示態様またはアイコンの表示により前記本体の手ブレに対する注意を喚起することを特徴とする光学装置。
【請求項８】
請求項４または５に記載の光学装置において、
前記手ブレ表示手段は、所定時間内に前記マークが前記枠内に表示される割合が所定値より小さくなると、前記マークおよび前記枠の表示を止め、前記手ブレに対する注意を喚起するアイコンを表示することを特徴とする光学装置。
【請求項９】
請求項２乃至８のいずれか１項に記載の光学装置において、
前記手ブレ表示手段は、前記光学装置の設定に基づいて前記マークの変位の大きさを変更することを特徴とする光学装置。
【請求項１０】
請求項９に記載の光学装置において、
前記手ブレ表示手段は、前記光学装置に設定された焦点距離が長い場合、前記光学装置に設定された焦点距離が短い場合に比べて、前記マークの変位の大きさを小さくすることを特徴とする光学装置。
【請求項１１】
請求項９に記載の光学装置において、
前記光学装置が撮像装置である場合、前記手ブレ表示手段は、前記撮像装置に設定されたシャッタ速度が速いとき、前記撮像装置に設定されたシャッタ速度が遅いときに比べて、前記マークの変位の大きさを小さくすることを特徴とする光学装置。
【請求項１２】
請求項９に記載の光学装置において、
前記光学装置が撮像装置であり、手ブレ補正機能を有する場合、前記手ブレ表示手段は、前記手ブレ補正機能を動作させているとき、前記手ブレ補正機能を動作させていないときに比べて前記マークの変位の大きさを小さくすることを特徴とする光学装置。
【発明の詳細な説明】
【技術分野】
【０００１】
本発明は、撮像装置や双眼鏡などの光学装置に関する。
【背景技術】
【０００２】
光学装置の第１の方向と第２の方向の振れを検出する第１および第２の振動センサの振動子を利用して、ファインダ画面内において指標を移動表示させることで振れの状態を視認性良好に認識させることができる光学装置が従来技術として知られている（たとえば、特許文献１参照）。
【特許文献１】特開平１０−３３９９０８号公報
【発明の開示】
【発明が解決しようとする課題】
【０００３】
特許文献１に記載の光学装置では、ユーザは光学装置の振れを認識することができるが、その振れが許容範囲内であるか否かを認識できないという問題点がある。
【課題を解決するための手段】
【０００４】
本発明の態様によると、光学装置は、本体の手ブレを検出する手ブレ検出手段と、手ブレ検出手段により検出された手ブレの大きさを表すマークと、手ブレの大きさの許容範囲を示す目印とを表示する手ブレ表示手段とを備える。
【発明の効果】
【０００５】
本発明によれば、光学装置の手ブレが許容範囲内であるか否かを容易に認識することができる。
【発明を実施するための最良の形態】
【０００６】
以下、図を参照して本発明の実施の形態を説明する。図１は本発明の実施形態による撮像装置１を示す図である。図１は撮像装置１を斜め前方から見た図である。図１に示すように、撮像装置１の正面には、撮像光学系１０１（図２参照）を構成する撮影レンズ１０１Ａと、撮影レンズ１０１Ａを格納したレンズ鏡胴１０１Ｂとが設けられている。撮像装置１の内部には、角加速度センサ６０１，６０２が設けられている。撮像装置１の上面には、撮影動作を行わせるためのレリーズボタン４０１が設けられている。
【０００７】
図２は、撮像装置１の構成を示すブロック図である。本実施の形態による撮像装置１は、ＣＣＤ撮像素子１０２を有する撮像部１００、システムＬＳＩ２０１を主体とするデジタル回路部２００、画像再生部３００、操作部４００、メモリカードインターフェイス（Ｉ／Ｆ）５００およびセンサ部６００等により構成されている。メモリカードインターフェイス５００にはメモリカード５０１が接続される。ＣＣＤ撮像素子１０２は複数の画素が二次元的に配設されたエリア型の撮像素子であり、ＣＣＤ撮像素子１０２の撮像面上には撮影光学系１０１により被写体像が結像される。本実施形態では、撮像素子としてＣＣＤ型の撮像素子を例に説明するが、ＣＭＯＳ型の撮像素子などでもよい。ＣＣＤ撮像素子１０２において被写体像は光電変換され、被写体像に応じた電気信号がＣＣＤ撮像素子１０２からアナログ信号処理回路１０３に入力される。
【０００８】
アナログ信号処理回路１０３はＡＧＣ（利得制御）回路またはＣＤＳ（相関二重サンプリング）回路などを含んでおり、入力された画像信号に対してゲイン調整や雑音除去等のアナログ信号処理を行う。アナログ信号処理が施された画像信号はＡ／Ｄ変換回路１０４によってデジタル信号に変換され、デジタル回路部２００のシステムＬＳＩ２０１に入力される。
【０００９】
レンズ制御装置１０５は、被写体に焦点を合わせるために、撮影光学系１０１を構成する撮影レンズ１０１Ａ（図１参照）のレンズ位置を移動する。また、レンズ制御装置１０５は、レンズ鏡胴１０１Ｂ（図１参照）を繰り出したり、撮像装置本体に収納したりする。
【００１０】
ＴＧ（タイミングジェネレータ）回路１０６はＣＣＤ撮像素子１０２，アナログ信号処理回路１０３およびＡ／Ｄ変換回路１０４のそれぞれに動作タイミング信号を出力し、これらの間の動作タイミングを制御する。
【００１１】
デジタル回路部２００のシステムＬＳＩ２０１では、Ａ／Ｄ変換回路１０４から入力されたデジタル画像データに対して、画像サイズ変更、ホワイトバランス処理、ガンマ補正等のデジタル信号処理およびデータ圧縮処理などが行われる。プログラムメモリを構成するＲＯＭ２０３にはこれらの処理に関するプログラムや撮像装置全体の制御プログラムが記憶されており、不図示のメインスイッチがオンされるとシステムＬＳＩ２０１により制御プログラムが実行される。画像メモリを構成するＲＡＭ２０２は、撮像部１００から入力された画像データの一時記憶や各種画像処理や画像圧縮／伸張処理の際のバッファメモリとして利用される。デジタル回路部２００で画像処理された画像データは、メモリカード５０１に記録される。また、システムＬＳＩ２０１はタイマ２０１ａを内蔵しており、時間を計測することができる。
【００１２】
画像再生部３００には、上述した表示モニタ３０１と、その表示モニタ３０１の駆動制御を行うモニタコントローラ３０２とが設けられている。操作部４００は、上述したレリーズボタン４０１などのハードスイッチ類で構成される。操作部４００は、それぞれの操作内容に応じた操作信号をシステムＬＳＩ２０１へ送出する。
【００１３】
メモリカードインターフェイス５００は、メモリカード５０１にデータを書き込んだり、保存したり、メモリカード５０１からデータを読み出したりする。
【００１４】
センサ部６００は、２つの角加速センサ６０１，６０２から構成される。角加速度センサ６０１，６０２は圧電振動ジャイロであり、撮像装置１の手ブレを角加速度として検出する。そして、検出結果をシステムＬＳＩ２０１に出力する。角加速度センサ６０１，６０２は１軸を中心とした角加速度を検出する。一方の角加速度センサ６０１は撮像装置１の縦方向の軸（縦軸）を中心とした角加速度を検出し、他方の角加速度センサ６０２は撮像装置１の横方向の軸（横軸）を中心とした角加速度を検出する。
【００１５】
次に本発明の実施形態における手ブレ表示画像を説明する。図３は、手ブレ表示画像７を説明するための図である。手ブレ表示画像７は、表示モニタ３０１に表示されているスルー画像に重ねて表示される。スルー画像は、撮影指示前にＣＣＤ１０２（図２参照）で逐次撮像され、表示モニタ３０１に再生表示される画像である。手ブレ表示画像７は、手ブレマーク７１、ガイド枠７２、手ブレアイコン７３を有する。ガイド枠７２の中には横軸と縦軸とからなる十字線が表示されている。この縦軸と横軸との交点がガイド枠７２の中心となる。この縦軸と横軸とにはそれぞれ目盛が付されている。
【００１６】
図４は、手ブレ表示画像７の拡大図である。図４を参照して手ブレ表示画像７について詳細に説明する。手ブレマーク７１は、その表示位置の変位により撮像装置１の手ブレの状態を表示する。手ブレマーク７１の表示位置は、角加速度センサ６０１，６０２（図１参照）によって検出された角加速度に基づいて決定される。図４（ａ）に示すように、角加速度センサ６０１，６０２により検出された角加速度が０°／ｓ２の場合、手ブレマーク７１はガイド枠７２の中心（縦軸と横軸の交点）に表示される。手ブレマーク７１の表示位置は、角加速度センサ６０１，６０２によって検出された角加速度が大きくなるとガイド枠７２の中心から離れた位置に変位する。ガイド枠７２の範囲を越える角加速度が検出された場合、手ブレマーク７１は表示されない。ガイド枠７２内に表示された縦軸および横軸の目盛によって、手ブレマーク７１がガイド枠７２の中心からどの程度離れているかをユーザは認識することができる。なお、ガイド枠７２の範囲を越える角加速度が検出されたことをユーザが認識できるようにするため、ガイド枠７２の範囲を越える角加速度が検出された場合、手ブレマーク７１をガイド枠７２の外に表示するようにしてもよい。
【００１７】
ガイド枠７２は、撮像装置１の手ブレの許容範囲を示す枠である。手ブレマーク７１がガイド枠７２内に表示されている場合、手ブレは許容範囲内であり、撮影に対する手ブレの影響は小さい。一方、手ブレマーク７１がガイド枠７２内に表示されない場合、手ブレは許容範囲を越えており、撮影に対する手ブレの影響は無視できないものとなる。
【００１８】
手ブレアイコン７３は、ユーザに対して撮像装置１における手ブレの注意を喚起するためのアイコンである。手ブレマーク７１が常にガイド枠７２内に表示されている場合、つまり、所定時間内に手ブレマーク７１がガイド枠７２内に表示される割合が１００％のとき、図４（ａ）に示すように、手ブレは許容範囲であり、撮影可能であることを示すアイコン７３ａが表示される。所定時間内に手ブレマーク７１がガイド枠７２内に表示される割合が８０％以上、１００％未満のとき、図４（ｂ）に示すように、手ブレに注意して撮影を行うことをユーザに指示するアイコン７３ｂが表示される。所定時間内に手ブレマーク７１がガイド枠７２内に表示される割合が８０％未満のとき、図４（ｃ）に示すように、手ブレが激しくて撮影を行えないこと示すアイコン７３ｃが表示される。
【００１９】
次に手ブレマーク７１の表示位置の算出方法を説明する。ここで、ガイド枠７２内に表示された横軸をＸ軸とよび縦軸をＹ軸と呼ぶ。角加速度センサ６０１を用いて撮像装置１の縦軸を中心とする角加速度（αｘ）を検出する。検出した角加速度（αｘ）に所定の定数（ａ）を乗算することにより、手ブレマーク７１の表示位置のＸ座標を算出する。角加速度センサ６０２を用いて撮像装置１の横軸を中心とする角加速度（αｙ）を検出する。検出した角加速度（αｙ）に所定の定数（ａ）を乗算することにより、手ブレマーク７１の表示位置のＹ座標を算出する。そして、図５に示すように算出したＸ座標、Ｙ座標の位置に手ブレマーク７１を表示する。
【００２０】
次に、本発明の実施形態における手ブレマーク表示処理について、図６のフローチャートを参照して説明する。図６の処理は、撮像装置１の電源がオンされるとスタートするプログラムによりシステムＬＳＩ２０１において実行される。
【００２１】
ステップＳ６０１では、タイマ２０１ａをリセットする。ステップＳ６０２では、タイマ２０１ａをスタートする。
【００２２】
ステップＳ６０３では、角加速度センサ６０１を用いて撮像装置１の縦軸を中心とする角加速度（αｘ）を検出する。ステップＳ６０４では、ステップＳ６０３で検出した角加速度（αｘ）に所定の定数（ａ）を乗算することにより、手ブレマーク７１の表示位置のＸ座標を算出する。ステップＳ６０５では、角加速度センサ６０２を用いて撮像装置１の横軸を中心とする角加速度（αｙ）を検出する。ステップＳ６０６では、ステップＳ６０５で検出した角加速度（αｙ）に所定の定数（ａ）を乗算することにより、手ブレマーク７１の表示位置のＹ座標を算出する。
【００２３】
ステップＳ６０７では、ガイド枠７２を表示モニタ３０１に表示するとともに、算出したＸ座標、Ｙ座標の位置に手ブレマーク７１を表示する。ステップＳ６０８では、タイマ２０１ａが計測している時間が２００ｍｓｅｃを経過したか否かを判定する。タイマ２０１ａが計測している時間が２００ｍｓｅｃを経過した場合はステップＳ６０８が肯定判定され、ステップＳ６０９に進む。タイマ２０１ａが計測している時間が２００ｍｓｅｃを経過していない場合はステップＳ６０８が否定判定され、ステップＳ６０３に戻る。
【００２４】
ステップＳ６０９では、タイマ２０１ａがスタートしてから、計測時間が２００ｍｓｅｃ経過するまでの間の手ブレマーク７１がガイド枠７２内に存在する割合を算出する。ステップＳ６１０では、ガイド枠７２に隣接する位置に、ステップＳ６０９で算出した割合に基づいて手ブレアイコン７３ａ〜７３ｃを表示する。ステップＳ６１１では、撮像装置１の電源がオフになったか否かを判定する。撮像装置１の電源がオフになった場合、ステップＳ６１１が肯定判定され、手ブレマーク表示処理を終了する。撮像装置１の電源がオン状態の場合、ステップＳ６１１が否定判定され、ステップＳ６０１に戻る。
【００２５】
以上説明した実施形態によれば、次の作用効果が得られる。
（１）角加速度センサ６０１，６０２により検出された手ブレの大きさを表す手ブレマーク７１と、手ブレの大きさの許容範囲を示すガイド枠７２とを表示モニタ３０１に表示するようにした。これにより、撮像装置１の手ブレが撮像に対して許容範囲内であるか否かを容易に認識することができる。
【００２６】
（２）角加速度センサ６０１，６０２により検出された手ブレの大きさに応じて手ブレマーク７１の表示位置を変位させるようにした。これにより、ユーザは撮像装置１の手ブレの状態をリアルタイムで認識することができる。また、手ブレマーク７１の表示位置がガイド枠７２内であるか否かによって、撮像装置１の手ブレが許容範囲であるか否かを容易に認識することができる。
【００２７】
（３）角加速度センサ６０１，６０２によって２次元方向の手ブレを検出し、角加速度センサ６０１，６０２により検出された手ブレに応じて手ブレマーク７１を２次元方向に変位させるようにした。これにより、撮像装置１の手ブレの状態を容易に認識することができる。
【００２８】
（４）角加速度センサ６０１，６０２によって２次元方向の手ブレを検出し、角加速度センサ６０１，６０２により検出された手ブレに応じて手ブレマーク７１を２次元方向に変位させるようにした。これにより、撮像装置１の手ブレの状態を容易に認識することができる。
【００２９】
（５）所定時間内に手ブレマーク７１がガイド枠７２内に表示される割合に応じて撮像装置１の手ブレに対する注意を喚起する表示７３を行うようにした。これにより、ユーザに対して適格に手ブレに対する注意を喚起することができる。
【００３０】
（６）手ブレアイコン７３ａ〜７３ｃの表示によって、撮像装置１の手ブレに対する注意を喚起する表示を行うようにした。これにより、ユーザは、撮像装置１の手ブレを注意しなくてはいけないことを容易に認識できる。
【００３１】
以上の実施の形態を次のように変形することができる。
（１）ガイド枠７２の中心と手ブレマーク７１との間の位置関係で撮像装置１の手ブレの状態を表示した。しかし、図７に示す手ブレ表示画像７Ａのように、手ブレの状態を矢印７１Ａで表示するようにしてもよい。ここで、矢印７１Ａの長さは手ブレの大きさを示し、矢印７１Ａの向きは手ブレの方向を示す。また、手ブレの大きさを数値で表し、手ブレの方向を「上」、「下」、「右」、「左」などの文字で表すようにしてもよい。
【００３２】
（２）手ブレアイコン７３ａ〜７３ｃの表示によって、撮像装置１の手ブレに対する注意を喚起する表示を行うようにした。しかし、ガイド枠７２の表示態様を変更することによって、撮像装置１の手ブレに対する注意を喚起するようにしてもよい。たとえば、ガイド枠７２の表示色を変更するようにし、所定時間内に手ブレマーク７１がガイド枠７２内に表示される割合が１００％のとき、ガイド枠７２を緑色にし、８０％以上、１００％未満のとき、ガイド枠７２を黄色にし、８０％未満のとき、ガイド枠７２を赤色にするようにしてもよい。
【００３３】
（３）撮像装置１の設定に基づいて手ブレマーク７１の変位の大きさを変更するようにしてもよい。たとえば、シャッタ速度が速い場合、シャッタ速度が遅い場合に比べて手ブレマーク７１の変位の大きさを小さくするようにしてもよい。シャッタ速度が速くなると、手ブレの許容範囲は広くなるからである。具体的には、図５のステップＳ５０４およびステップＳ５０６におけるａの値を小さくすることにより、手ブレマーク７１の変位の大きさを小さくする。
【００３４】
また、撮像装置１に設定されている焦点距離によって手ブレマーク７１の変位の大きさを変更するようにしてもよい。たとえば、撮像装置１がズーム機能を有する場合、広角側にズーム機能が設定されているとき、望遠側にズーム機能が設定されているときに比べて手ブレマーク７１の変位の大きさを小さくするようにしてもよい。ズーム機能が広角側に設定されている場合、撮像装置１の手ブレが発生しても撮影に対する影響は小さいからである。レンズを交換できる場合、広角レンズが取り付けられているとき、望遠レンズが取り付けられているときに比べて手ブレマーク７１の変位の大きさを小さくするようにしてもよい。
【００３５】
さらに、撮像装置１が手ブレ補正機能を有する場合、手ブレ補正機能が動作しているとき、手ブレ補正機能が動作していないときに比べて、手ブレマーク７１の変位の大きさを小さくするようにしてもよい。撮影に対する手ブレの影響が、手ブレ補正機能により小さくなるからである。
【００３６】
（４）撮像装置１の設定に基づいてガイド枠７２の大きさを変更するようにしてもよい。たとえば、シャッタ速度が速い場合、シャッタ速度が遅い場合に比べてガイド枠７２を大きくするようにしてもよい。シャッタ速度が速くなると、手ブレの許容範囲は広くなるからである。
【００３７】
また、撮像装置１に設定されている焦点距離によってガイド枠７２の大きさを変更するようにしてもよい。たとえば、撮像装置１がズーム機能を有する場合、広角側にズーム機能が設定されているとき、望遠側にズーム機能が設定されているときに比べてガイド枠７２を大きくするようにしてもよい。ズーム機能が広角側に設定されている場合、撮像装置１の手ブレが発生しても撮影に対する影響は小さいからである。レンズを交換できる場合、広角レンズが取り付けられているとき、望遠レンズが取り付けられているときに比べてガイド枠７２を大きくするようにしてもよい。
【００３８】
さらに、撮像装置１が手ブレ補正機能を有する場合、手ブレ補正機能が動作しているとき、手ブレ補正機能が動作していないときに比べて、ガイド枠７２を大きくするようにしてもよい。撮影に対する手ブレの影響が、手ブレ補正機能により小さくなるからである。
【００３９】
（５）撮像装置１の設定に基づいて手ブレマーク７１の変位の大きさとガイド枠７２の大きさとを同時に変更するようにしてもよい。
【００４０】
（６）所定時間内に手ブレマーク７１がガイド枠７２内に表示される割合が所定値より小さくなった場合、手ブレマーク７１およびガイド枠７２の表示を止め、手ブレアイコン７３ａ〜７３ｃのみを表示するようにしてもよい。所定時間内に手ブレマーク７１がガイド枠７２内に表示される割合が非常に小さいと、手ブレマーク７１およびガイド枠７２を表示させる効果が小さくなるからである。
【００４１】
（７）レリーズボタン４０１が半押しのとき、手ブレ表示画像７を表示モニタ３０１に表示するようにしてもよい。ここで半押しとは、ユーザがレリーズボタン４０１を軽く抵抗を感じるところまで押して、そのまま指を止めるレリーズボタン４０１の押圧状態をいう。さらに、ユーザがレリーズボタン４０１を半押しの状態から深く押し込むことを全押しという。撮影を行うとき以外の手ブレは、撮影に対して影響を与えないからである。
【００４２】
（８）レリーズボタン４０１を押圧したときの手ブレ状態を表す手ブレ表示画像７を、撮影を行った後に表示するようにしてもよい。ユーザは、この表示を参考にして、手ブレを起こさずにレリーズボタン４０１を押圧する技術を習得することができる。
【００４３】
（９）レリーズボタン４０１を押圧した後、手ブレ補正マーク７１がガイド枠７２内に表示されたとき、撮像装置１のシャッタが開くようにしてもよい。レリーズボタン４０１を押圧したときに発生する手ブレを回避して撮影を行うことができ、便利である。
【００４４】
（１０）所定時間内に手ブレマーク７１がガイド枠７２内に表示される割合が所定値、たとえば６０％より小さくなった場合、ユーザに対して三脚を使用するように指示するようにしてもよい。三脚を使用する必要があるのに、撮像装置１を手に持って撮影するのを防止することができる。三脚使用の指示は、表示モニタ３０１に三脚マークを表示することで行ってもよいし、音声で行ってもよい。
【００４５】
（１１）手ブレマーク７１がガイド枠７２内に表示されることを音声でユーザに報知するようにしてもよい。被写体を注視しているために手ブレ表示画像７が見えない場合があるからである。たとえば、手ブレマーク７１がガイド枠７２内に表示されるときに出力されるビープ（Beep）音を手ブレマーク７１がガイド枠７２内に表示されていないときに出力されるビープ音と異なるようにすることで、手ブレマーク７１がガイド枠７２内に表示されることを音声でユーザに報知するようにしてもよい。
【００４６】
（１２）レリーズボタン４０１を押圧したときの手ブレの大きさが所定値以下であることが所定回数以上連続して続いた場合、ユーザは手ブレを生じさせずに撮影を行うことができると判断して、手ブレ表示画像７を表示させないようにしてもよい。手ブレを生じさせずに撮影を行うことができるユーザにとって、手ブレ表示画像７は邪魔になるからである。
【００４７】
（１３）ガイド枠７３の形状は円形に限定されない。たとえば、図８（ａ）に示す手ブレ画像７Ｂのように、ガイド枠７２Ｂの形状を正方形としてもよい。また、ガイド枠は、手ブレの許容範囲を認識できるものであれば閉じている必要はなく、図８（ｂ）に示す手ブレ表示画像７Ｃように、ガイド枠７２Ｃを表す線が途切れていてもよい。
【００４８】
（１４）撮像装置１の手ブレを検出できれば、撮像装置１の手ブレ検出手段は角加速度センサに限定されない。たとえば、加速度センサによって検出してもよい。また、撮像している画像の移動ベクトルから手ブレを検出するようにしてもよい。
【００４９】
（１５）本発明は、光学装置であれば撮像装置に限定されない。たとえば、双眼鏡であってもよい。
【００５０】
実施形態と変形例の一つ、もしくは複数を組み合わせることも可能である。変形例同士をどのように組み合わせることも可能である。
【００５１】
以上の説明はあくまで一例であり、本発明は上記実施形態の構成に何ら限定されるものではない。
【図面の簡単な説明】
【００５２】
【図１】本発明の実施形態における撮像装置を前方から見た図である。
【図２】撮像装置の構成を説明するブロック図である。
【図３】表示モニタに表示された手ブレ表示画像を説明するための図である。
【図４】手ブレアイコンを説明するための図である。
【図５】ガイド枠における手ブレマークの表示位置を説明するための図である。
【図６】本発明の実施形態における手ブレマーク表示処理を説明するためのフローチャートである。
【図７】手ブレ表示画像の変形例を説明するための図である。
【図８】手ブレ表示画像の変形例を説明するための図である。
【符号の説明】
【００５３】
１  撮像装置
７，７Ａ〜７Ｃ  手ブレ表示画像
７１  手ブレマーク
７２  ガイド枠
７３，７３ａ〜７３ｃ  手ブレアイコン
２０１  システムＬＳＩ
２０１ａ  タイマ
３０１  表示モニタ
６０１，６０２  角加速度センサ
【図１】
2010026057.tif 000003
【図２】
2010026057.tif 000004
【図３】
2010026057.tif 000005
【図４】
2010026057.tif 000006
【図５】
2010026057.tif 000007
【図６】
2010026057.tif 000008
【図７】
2010026057.tif 000009
【図８】
2010026057.tif 000010